(57)【要約】【課題】調整しようとしている機能に関する表示の場所を即座に直感的に認識することができる設定装置を提供すること。【解決手段】機能選択ダイヤル２が左回転位置または右回転位置または中立位置保持されているときに機能調整ダイヤル３を回転操作することによって、それぞれ第１の機能または第２の機能または第３の機能の設定変更が行なえるようになっており、機能調整ダイヤル３は機能選択ダイヤル２の前方に同心状に突出している。機能選択ダイヤル２の左方領域と右方領域にはそれぞれ、第１の機能の調整項目４ａおよび点灯表示部４ｂを配列させた第１表示部４と、第２の機能の調整項目５ａおよび点灯表示部５ｂを配列させた第２表示部５が設けられており、第１または第２の機能が選択されているとき、駆動制御信号１０ａを外部機器２０に出力する制御手段１０が点灯制御信号１０ｂを出力して点灯表示部４ｂ，５ｂを選択的に点灯させる。【選択図】図１
2010058747.tif 000002
【特許請求の範囲】
【請求項１】
回転操作によって少なくとも左回転位置と右回転位置とに選択的に保持可能な機能選択ダイヤルと、この機能選択ダイヤルの回転位置を検出する機能選択用検出手段と、前記機能選択ダイヤルの前方に同心状に突出して回転操作可能な機能調整ダイヤルと、この機能調整ダイヤルの回転状態を検出する機能調整用検出手段と、前記機能選択ダイヤルの左方領域に配設された第１表示部と、前記機能選択ダイヤルの右方領域に配設された第２表示部と、前記機能選択用検出手段の検出信号に基づいて選択した機能を前記機能調整用検出手段の検出信号に基づいて調整するための駆動制御信号を外部機器に出力する制御手段とを備え、
前記第１表示部に、前記機能選択ダイヤルを前記左回転位置に設定することによって選択される第１の機能の選択可能な調整項目に応じて配列させた複数の点灯表示部が設けられていると共に、前記第２表示部に、前記機能選択ダイヤルを前記右回転位置に設定することによって選択される第２の機能の選択可能な調整項目に応じて配列させた複数の点灯表示部が設けられており、かつ、前記制御手段が前記駆動制御信号に対応する点灯制御信号を出力して前記点灯表示部を選択的に点灯させるようにしたことを特徴とする設定装置。
【請求項２】
請求項１の記載において、前記機能選択ダイヤルが前記左回転位置と前記右回転位置との間の中立位置に保持可能であると共に、前記機能選択ダイヤルの上方領域または斜め上方領域に第３表示部が配設されており、この第３表示部に、前記機能選択ダイヤルを前記中立位置に設定することによって選択される第３の機能の調整状態が表示され、かつ該調整状態が前記機能調整ダイヤルの回転操作によって変更されるようにしたことを特徴とする設定装置。
【発明の詳細な説明】
【技術分野】
【０００１】
本発明は、例えばカーエアコン等の車載用電気機器の機能選択や機能調整を行なうために用いられる設定装置に関するものである。
【背景技術】
【０００２】
この種の設定装置では、近年、液晶表示画面に複数の機能表示領域を設けて、各機能表示領域にそれぞれ対応する機能の調整状態が表示されるように設計したものが主流となりつつある。
【０００３】
例えば、カーエアコンの風量調整と温度調整と吹出し口切替とを行なうために使用される車載用設定装置として、横長の液晶表示画面の中央領域と左寄り領域と右寄り領域をそれぞれ温度表示領域、風量表示領域、吹出し口表示領域となし、この液晶表示画面の下方に３個の機能選択キーと１個の機能調整ダイヤルを配設した構成のものが従来より知られている（例えば、特許文献１参照）。かかる従来例において、３個の機能選択キーは、液晶表示画面の温度表示領域と風量表示領域と吹出し口表示領域の真下にそれぞれ位置する温度選択キーと風量選択キーと吹出し口選択キーであり、これら３個の機能選択キーは回転操作可能な機能調整ダイヤルの上縁に沿って配設されている。そして、任意の機能選択キーを押圧操作することによって該キーに対応する機能を選択できるため、所望の機能選択キー（例えば風量選択キー）を押圧操作してから機能調整ダイヤルを回転操作することによって、選択した機能の調整状態（例えば設定風量）が適宜変更できるようになっている。
【特許文献１】特開２００５−８１９０６号公報
【発明の開示】
【発明が解決しようとする課題】
【０００４】
前述した従来の設定装置では、複数の機能に関する複数の表示が１つの液晶表示画面中に表示されるようになっているため、調整しようとしている機能に関する表示がどこに表示されているか探すのが面倒である、という問題があった。
【０００５】
本発明は、このような従来技術の実情に鑑みてなされたもので、その目的は、調整しようとしている機能に関する表示の場所を即座に直感的に認識することができる設定装置を提供することにある。
【課題を解決するための手段】
【０００６】
上記の目的を達成するため、本発明の設定装置は、回転操作によって少なくとも左回転位置と右回転位置とに選択的に保持可能な機能選択ダイヤルと、この機能選択ダイヤルの回転位置を検出する機能選択用検出手段と、前記機能選択ダイヤルの前方に同心状に突出して回転操作可能な機能調整ダイヤルと、この機能調整ダイヤルの回転状態を検出する機能調整用検出手段と、前記機能選択ダイヤルの左方領域に配設された第１表示部と、前記機能選択ダイヤルの右方領域に配設された第２表示部と、前記機能選択用検出手段の検出信号に基づいて選択した機能を前記機能調整用検出手段の検出信号に基づいて調整するための駆動制御信号を外部機器に出力する制御手段とを備え、前記第１表示部に、前記機能選択ダイヤルを前記左回転位置に設定することによって選択される第１の機能の選択可能な調整項目に応じて配列させた複数の点灯表示部が設けられていると共に、前記第２表示部に、前記機能選択ダイヤルを前記右回転位置に設定することによって選択される第２の機能の選択可能な調整項目に応じて配列させた複数の点灯表示部が設けられており、かつ、前記制御手段が前記駆動制御信号に対応する点灯制御信号を出力して前記点灯表示部を選択的に点灯させるように構成した。
【０００７】
このように構成された設定装置では、第１表示部と第２表示部が機能選択ダイヤルを挟んでそれぞれ左側および右側に配置されているので、調整しようとしている機能に関する表示の場所を即座に直感的に認識することができる。また、機能選択ダイヤルを左に回転させると第１の機能が選択でき、機能選択ダイヤルを右に回転させると第２の機能が選択できるので、操作者は機能選択ダイヤルを把持すれば該装置から目を離しても所望の機能を正しく選択することができる。また、選択した第１の機能または第２の機能の調整状態を変更するために機能調整ダイヤルを回転操作したときに、その回転情報に基づく点灯制御信号によって所定の点灯表示部を点灯させることができるため、選択した機能の選択した調整項目を目立たせることができる。したがって、機能選択ダイヤルで選択した第１の機能または第２の機能を調整する際に、操作者は、機能調整ダイヤルを適宜回転操作して第１表示部または第２表示部を一瞥するだけで、選択した機能がどのような調整状態に設定されたのかを瞬時に把握できることになる。しかも、機能調整ダイヤルは機能選択ダイヤルの前方に同心状に突出しているため、両ダイヤルの連続操作は目を離したままでも円滑に行なえる。それゆえ、この設定装置は操作性が極めて良好であり、操作者が運転中であっても、所望の機能を所望の調整状態に設定する操作を前方確認を怠ることなく安全かつ円滑に行なうことができる。
【０００８】
上記の構成において、機能選択ダイヤルが左回転位置と右回転位置との間の中立位置に保持可能であると共に、機能選択ダイヤルの上方領域または斜め上方領域に第３表示部が配設されており、この第３表示部に、機能選択ダイヤルを中立位置に設定することによって選択される第３の機能の調整状態が表示され、かつ該調整状態が機能調整ダイヤルの回転操作によって変更されるようにしてあると、運転中の操作者が操作しやすい優れた操作性を維持しつつ、選択可能な機能を増やすことができる。
【発明の効果】
【０００９】
本発明の設定装置は、第１表示部と第２表示部が機能選択ダイヤルを挟んでそれぞれ左側および右側に配置されているので、調整しようとしている機能に関する表示の場所を即座に直感的に認識することができる。また、機能選択ダイヤルを左に回転させると第１の機能が選択でき、機能選択ダイヤルを右に回転させると第２の機能が選択できるので、操作者は機能選択ダイヤルを把持すれば該装置から目を離しても所望の機能を正しく選択することができる。また、選択した第１の機能または第２の機能の調整状態を変更するために機能調整ダイヤルを回転操作したときに、その回転情報に基づく点灯制御信号によって所定の点灯表示部を点灯させることができるため、選択した機能の選択した調整項目を目立たせることができる。したがって、機能選択ダイヤルで選択した第１の機能または第２の機能を調整する際に、操作者は、機能調整ダイヤルを適宜回転操作して第１表示部または第２表示部を一瞥するだけで、選択した機能がどのような調整状態に設定されたのかを瞬時に把握できることになる。しかも、機能調整ダイヤルは機能選択ダイヤルの前方に同心状に突出しているため、両ダイヤルの連続操作は目を離したままでも円滑に行なえる。それゆえ、この設定装置は操作性が極めて良好であり、操作者が運転中であっても、所望の機能を所望の調整状態に設定する操作を前方確認を怠ることなく安全かつ円滑に行なうことができる。
【発明を実施するための最良の形態】
【００１０】
発明の実施の形態を図面を参照して説明すると、図１は本発明の実施形態例に係る設定装置の正面図、図２は該設定装置の側面図、図３は該設定装置の電気系統を示すブロック図である。
【００１１】
これらの図に示す設定装置は、外部機器であるカーエアコン２０（図３参照）の機能選択や機能調整を行なうためのものである。この設定装置の筐体１の前面板１ａには、同心状に配置されて互いに独立に回転操作可能な機能選択ダイヤル２および機能調整ダイヤル３と、ＬＥＤ（発光素子）によって点灯可能な複数の点灯表示部４ｂ，５ｂを有する第１および第２の表示部４，５と、液晶表示画面に数値がセグメント表示される第３表示部６と、押圧操作可能な複数の機能選択キー７とが配設されている。
【００１２】
機能選択ダイヤル２は中立位置と左回転位置と右回転位置のいずれかのポジションにて保持可能である。そして、図１に示すように機能選択ダイヤル２が中立位置に保持されているときには、機能調整ダイヤル３を回転操作することによってカーエアコン２０の設定温度が変更できる。また、この機能選択ダイヤル２を図１の反時計回りに所定量回転させて左回転位置に設定すると、機能調整ダイヤル３を回転操作することによってカーエアコン２０の吹出し口が選択できる。さらに、機能選択ダイヤル２を図１の時計回りに所定量回転させて右回転位置に設定すると、機能調整ダイヤル３を回転操作することによってカーエアコン２０の設定風量が変更できる。なお、機能選択ダイヤル２の回転位置は、図３に示す機能選択用検出手段８によって検出され、この機能選択用検出手段８の検出信号８ａが同図に示す制御手段１０に出力されるようになっている。
【００１３】
機能調整ダイヤル３は、機能選択ダイヤル２よりも小径で該選択ダイヤル２の前方に同心状に突出している。この機能調整ダイヤル３を回転操作することによって、機能選択ダイヤル２で選択した機能の調整状態を変更することができる。また、この機能調整ダイヤル３を一定角度回転させる毎に図示せぬクリック機構がクリック感を生起するようになっているため、操作者は機能調整ダイヤル３を回転操作したときに、その回転角度をクリック数によって概略把握することができる。なお、機能調整ダイヤル３の回転情報は図３に示す機能調整用検出手段９によって検出され、この機能調整用検出手段９の検出信号９ａが制御手段１０に出力されるようになっている。
【００１４】
すなわち、制御手段１０には、機能選択用検出手段８の検出信号８ａと機能調整用検出手段９の検出信号９ａとが入力される。そして図３に示すように、この制御手段１０は、検出信号８ａに基づいて選択した機能を検出信号９ａに基づいて調整するための駆動制御信号１０ａをカーエアコン２０に出力すると共に、駆動制御信号１０ａに対応する点灯制御信号１０ｂやＬＣＤ制御信号１０ｃをＬＥＤドライバ１１や第３表示部６に出力するようになっている。
【００１５】
第１表示部４は機能選択ダイヤル２の左方領域に配設されている。この第１表示部４は、図１において上下方向に配列されたアイコン群からなる複数の調整項目４ａと、同じく上下方向に配列されてそれぞれが相異なる調整項目４ａの左隣に位置する複数の点灯表示部４ｂとを含み、各点灯表示部４ｂがＬＥＤドライバ１１によって個別に点灯されるようになっている。具体的には、機能選択ダイヤル２が左回転位置に保持されていることを検出する機能選択用検出手段８の検出信号８ａと、機能調整ダイヤル３の回転状態を検出する機能調整用検出手段９の検出信号９ａとに基づいて、カーエアコン２０の吹出し口を指定する駆動制御信号１０ａが制御手段１０から該カーエアコン２０に出力されるとき、この駆動制御信号１０ａに対応する点灯制御信号１０ｂが制御手段１０からＬＥＤドライバ１１に出力されて、指定された吹出し口に対応する点灯表示部４ｂをＬＥＤドライバ１１が点灯させるようになっている。例えば、駆動制御信号１０ａによってカーエアコン２０の吹出し口がフットモードに設定されるときには、第１表示部４の最下部においてフットモードを示すアイコンからなる調整項目４ａの左隣に位置する点灯表示部４ｂがＬＥＤの光で点灯するようになっている。
【００１６】
第２表示部５は機能選択ダイヤル２の右方領域に配設されている。この第２表示部５は、図１において上下方向に配列されたアイコン群からなる複数の調整項目５ａと、同じく上下方向に配列されてそれぞれが相異なる調整項目５ａの右隣に位置する複数の点灯表示部５ｂとを含み、各点灯表示部５ｂがＬＥＤドライバ１１によって個別に点灯されるようになっている。具体的には、機能選択ダイヤル２が右回転位置に保持されていることを検出する機能選択用検出手段８の検出信号８ａと、機能調整ダイヤル３の回転状態を検出する機能調整用検出手段９の検出信号９ａとに基づいて、カーエアコン２０の設定風量を指定する駆動制御信号１０ａが制御手段１０から該カーエアコン２０に出力されるとき、この駆動制御信号１０ａに対応する点灯制御信号１０ｂが制御手段１０からＬＥＤドライバ１１に出力されて、指定された風量に対応する点灯表示部５ｂをＬＥＤドライバ１１が点灯させるようになっている。例えば、駆動制御信号１０ａによってカーエアコンの風量が最強モードに設定されるときには、第２表示部５の最下部において風量最強を示すアイコンからなる調整項目５ａの右隣に位置する点灯表示部５ｂがＬＥＤの光で点灯するようになっている。
【００１７】
第３表示部６は機能選択ダイヤル２の右斜め上方領域に配設されている。この第３表示部６はカーエアコン２０の設定温度を数値でセグメント表示するための液晶表示画面であり、機能選択ダイヤル２が中立位置に保持されているときに機能調整ダイヤル３を回転操作することによって、第３表示部６に表示される数値（設定温度）を適宜変更することができる。すなわち、機能選択ダイヤル２が中立位置に保持されていることを検出する機能選択用検出手段８の検出信号８ａと、機能調整ダイヤル３の回転状態を検出する機能調整用検出手段９の検出信号９ａとに基づいて、カーエアコン２０の設定温度を指定する駆動制御信号１０ａが制御手段１０から該カーエアコン２０に出力されると共に、この駆動制御信号１０ａに対応するＬＣＤ制御信号１０ｃが制御手段１０から第３表示部６に出力されるようになっている。
【００１８】
複数の機能選択キー７は機能選択ダイヤル２の上方領域および左斜め上方領域に横一列に配設されている。これら機能選択キー７は機能選択ダイヤル２と同様に、カーエアコン２０の設定しようとする機能を選択するためのものであるが、機能選択キー７によって選択される機能はいずれも調整を必要としない機能（例えば風量自動切替モード等）なので、機能選択キー７を押圧操作した後に機能調整ダイヤル３を回転操作する必要はない。
【００１９】
このように本実施形態例に係る設定装置は、吹出し口の設定に関する表示がされる第１表示部４と風量の設定に関する表示がされる第２表示部５とが機能選択ダイヤル２を挟んでそれぞれ左側および右側に配置されているので、調整しようとしている機能に関する表示の場所を即座に直感的に認識することができる。また、機能選択ダイヤル２が左回転位置または右回転位置に保持されているときに機能調整ダイヤル３を回転操作することによって、それぞれカーエアコンの吹出し口または風量の設定変更が行なえるようになっている。その際、機能選択ダイヤル２を左に回転させれば左側に表示されている第１の機能（吹出し口の設定）が選択でき、機能選択ダイヤル２を右に回転させれば右側に表示されている第２の機能（風量の設定）が選択できるので、操作者は機能選択ダイヤル２を把持すれば本装置から目を離しても所望の機能を正しく選択することができる。また、選択した第１の機能または第２の機能の調整状態を変更するために機能調整ダイヤル３を回転操作したときに、その回転情報に基づく点灯制御信号１０ｂによって所定の点灯表示部４ｂ，５ｂを点灯させることができるため、選択した機能の選択した調整項目４ａ，５ａを目立たせることができる。したがって、機能選択ダイヤル２で選択した第１の機能または第２の機能を調整する際に、操作者は、機能調整ダイヤル３を適宜回転操作して第１表示部４または第２表示部５を一瞥するだけで、選択した機能がどのような調整状態に設定されたのかを瞬時に把握できることになる。しかも、機能調整ダイヤル３は機能選択ダイヤル２の前方に同心状に突出しているため、両ダイヤル２，３の連続操作は目を離したままでも円滑に行なえる。
【００２０】
また、この設定装置は、機能調整ダイヤル３が中立位置に保持されているときに機能選択ダイヤル２を回転操作することによってカーエアコン２０の設定温度が変更できると共に、その設定温度の数値が第３表示部６にセグメント表示されるようになっている。したがって、操作者は第３表示部６を見て数値を確認しながらカーエアコン２０の設定温度を変更することになるが、この第３表示部６はカーエアコン２０の設定温度だけを表示する専用の液晶表示画面なので、操作者は第３表示部６を一瞥するだけで該設定温度を瞬時に把握することができる。
【００２１】
それゆえ、本実施形態例に係る設定装置は操作性が極めて良好であり、操作者が運転中であっても、所望の機能を所望の調整状態に設定する操作を前方確認を怠ることなく安全かつ円滑に行なうことができる。
【００２２】
なお、上記の実施形態例では、カーエアコンの機能選択や機能調整を行なうための車載用設定装置について説明したが、本発明はこれに限定されるものではなく、例えばカーオーディオ等の機能選択や機能調整を行なうための車載用設定装置や他の設定装置に本発明を適用した場合にも、上記の実施形態例とほぼ同様の効果が期待できる。
【図面の簡単な説明】
【００２３】
【図１】本発明の実施形態例に係る設定装置の正面図である。
【図２】該設定装置の側面図である。
【図３】該設定装置の電気系統を示すブロック図である。
【符号の説明】
【００２４】
１  筐体
１ａ  前面板
２  機能選択ダイヤル
３  機能調整ダイヤル
４  第１表示部
４ｂ，５ｂ  点灯表示部
５  第２表示部
６  第３表示部
８  機能選択用検出手段
８ａ，９ａ  検出信号
９  機能調整用検出手段
１０  制御手段
１０ａ  駆動制御信号
１０ｂ  点灯制御信号
１０ｃ  ＬＣＤ制御信号
１１  ＬＥＤドライバ
２０  カーエアコン（外部機器）
【図１】
2010058747.tif 000003
【図２】
2010058747.tif 000004
【図３】
2010058747.tif 000005